(57)【要約】      （修正有）【課題】意匠パネルを装飾リングとともに可動ルーバーの正面に簡単に嵌着して取り付けることができ、装飾性を長期間良好に保持することができるレジスタを提供する。【解決手段】可動フィン４は、フィン本体４０と、フィン本体の前面部を覆うように嵌着される意匠パネル５と、意匠パネルの前面に嵌着される装飾リング６とを備える。装飾リング６の円環状のリング部６０には、複数の係止爪６１が円周方向に向けて略Ｌ字状に突出して形成され、係止凸部が係止爪６１間に突設される。意匠パネル５には、装飾リング６の各係止爪６１が嵌入し円周方向に移動して嵌着する嵌合開口部と係止部が設けられる。可動フィン４の前面部４１には係止爪６１に対応して前面係止凸部４２が突設される。【選択図】図４
0003195407.tif 000002
【実用新案登録請求の範囲】
【請求項１】
円筒形のリテーナ内に円筒形の回動ルーバーが該リテーナの中心軸の回りで回動可能に装着され、該回動ルーバーの円筒フレーム内に可動フィンが、該中心軸と直角方向の支軸により回動可能に軸支されてなるレジスタにおいて、
該可動フィンは、フィン本体と、該フィン本体の前面部を覆うように嵌着される意匠パネルと、該意匠パネルの前面に嵌着される装飾リングとを備え、該装飾リングの円環状のリング部には、複数の係止爪が円周方向に向けて略Ｌ字状に突出して形成されるとともに、係止凸部が該係止爪と該係止爪の間に突設され、
該意匠パネルには、該装飾リングの該各係止爪が嵌入し円周方向に移動して嵌着する嵌合開口部と係止部が設けられ、
前記可動フィンの前面部には該係止爪に対応して前面係止凸部が突設され、該該可動フィンの該前面部の外周縁部と該意匠パネルの内側縁部には、相互に嵌合して嵌着される嵌着部が複数箇所に設けられ、
該装飾リングを嵌着した意匠パネルを該可動フィンの該前面部に嵌着したとき、該前面係止凸部が該装飾リングの該係止爪に係合して係止状態を保持することを特徴とするレジスタ。
【請求項２】
前記意匠パネルの前面には、前記装飾リングを嵌め込むための環状溝が設けられ、該環状溝内に、上記係止爪を進入させるための嵌合開口部が形成され、且つ該係止爪を係止させる係止部が設けられ、該環状溝の底部には、該装飾リングの前記係止凸部が係止される溝側係止部が設けられたことを特徴とする請求項１記載のレジスタ。
【請求項３】
前記意匠パネルの環状溝の底部に設けた係止部の近傍に、前記装飾リングの内側面に密着するビード部が設けられたことを特徴とする請求項２記載のレジスタ。
【請求項４】
前記嵌着部として、前記可動フィンの前面部の外周縁部に突出係止部が突設され、該突出係止部の両側の外周縁部に第１弾性係止爪及び第２弾性係止爪が弾性変形可能に突設され、前記意匠パネルの内側縁部に、該突出係止部が嵌入される係止凹部が設けられ、且つ該第１弾性係止爪、第２弾性係止爪が各々係止される第１係止部、第２係止部が該内側縁部に設けられたことを特徴とする請求項３記載のレジスタ。
【請求項５】
前記意匠パネルの内側面に溶着棒が突設され、前記可動フィンの前面部に該溶着棒が嵌入可能な孔が形成され、該意匠パネルを該可動フィンの該前面部に嵌着したとき、該溶着棒を該孔に挿入した状態で、該溶着棒の先端を溶融して溶着することを特徴とする請求項４記載のレジスタ。
【考案の詳細な説明】
【技術分野】
【０００１】
本考案は、主に自動車などの空調装置の空気吹出調整用に使用されるレジスタに関し、特に送風方向を調整するための回動ルーバーを備え、回動ルーバーの正面に意匠パネルを固着したレジスタに関する。
【背景技術】
【０００２】
従来、円筒形状の送風口を有する丸型のレジスタとして、送風口の送風方向に沿った中心軸の回りで回動可能な回動ルーバーを備えたレジスタが、下記特許文献１などにより知られている。
【０００３】
この種のレジスタは、円筒形に形成されたリテーナとベゼルを有し、ベゼルとリテーナの内側に、略円筒形の回動ルーバーをリテーナの中心軸と同軸上に且つ回動可能に配設して構成される。この回動ルーバーは円筒フレームと可動フィンを有して構成され、円筒フレームの内側に複数の可動フィンを、円筒フレームの前面と平行な軸を支軸として回動可能に軸支し、円筒フレームを、ベゼルとリテーナの内側に回動可能に嵌入している。
【先行技術文献】
【特許文献】
【０００４】
【特許文献１】特開２００１−２８０６８２号公報
【特許文献２】実用新案登録第３１２９６４５号公報
【考案の概要】
【考案が解決しようとする課題】
【０００５】
ところで、上記レジスタは、その前面の送風口を閉鎖する際、可動フィンを回動させて、フィンをレジスタの前面に平行な状態とし、可動フィンの正面をレジスタの正面に大きく露出させて閉鎖状態とする。
【０００６】
丸型のレジスタは、通常、その前面送風口が１枚或いは２枚と比較的面積の大きい可動フィンにより閉鎖されるため、可動フィンの前面意匠（模様や色彩）が単純な色彩や無模様で形成されている場合、車内の他の装飾部分との比較において、装飾性が低くなりやすく、使用者の満足感や美的嗜好を満たしにくい。
【０００７】
そこで、従来、上記特許文献２において、丸型レジスタの可動フィンの正面に、装飾を施した合成樹脂板を貼着して装飾性を向上させたレジスタが提案されている。
【０００８】
しかし、この種のレジスタは、可動ルーバーの可動フィンの正面に、装飾を施した合成樹脂板を、両面粘着テープを用いて貼着する構造であるため、両面粘着テープの粘着性能が経年変化、温度変化、湿度変化などにより劣化した場合、合成樹脂板が剥がれ易く、合成樹脂板の一部であっても剥れが生じると、レジスタの品質、装飾性を大きく低下させるという課題があった。また、このレジスタでは可動ルーバーの正面の装飾が合成樹脂板のみとなるため、装飾性に欠ける課題があった。
【０００９】
本考案は、上述の課題を解決するものであり、意匠パネルを装飾リングとともに可動ルーバーの正面に簡単に嵌着して取り付けることができ、装飾性を長期間良好に保持することができるレジスタを提供することを目的とする。
【課題を解決するための手段】
【００１０】
上記目的を達成するために、本考案の請求項１のレジスタは、円筒形のリテーナ内に円筒形の回動ルーバーがリテーナ中心軸の回りで回動可能に装着され、該回動ルーバーの円筒フレーム内に可動フィンが、該中心軸と直角方向の支軸により回動可能に軸支されてなるレジスタにおいて、
該可動フィンは、フィン本体と、該フィン本体の前面部を覆うように嵌着される意匠パネルと、該意匠パネルの前面に嵌着される装飾リングとを備え、装飾リングの円環状のリング部には、複数の係止爪が円周方向に向けて略Ｌ字状に突出して形成されるとともに、係止凸部が該係止爪と該係止爪の間に突設され、
該意匠パネルには、該装飾リングの各係止爪が嵌入し円周方向に移動して嵌着する嵌合開口部と係止部が設けられ、
前記可動フィンの前面部には該係止爪に対応して前面係止凸部が突設され、該該可動フィンの前面部の外周縁部と該意匠パネルの内側縁部には、相互に嵌合して嵌着される嵌着部が複数箇所に設けられ、
該装飾リングを嵌着した意匠パネルを該可動フィンの該前面部に嵌着したとき、該前面係止凸部が該装飾リングの該係止爪に係合して係止状態を保持することを特徴とする。
【００１１】
この考案によれば、可動フィンの前面部に、意匠パネルと装飾リングが嵌着されるので、意匠パネル及び装飾リングに、任意の装飾をメッキ処理などで付しておけば、レジスタの正面外観を形成する可動フィンの前面部の装飾性を高め、それを長期間良好に保持することができる。また、意匠パネル及び装飾リングを可動フィンに嵌め込むのみで、簡単に可動ルーバーを組み付けることができるので、効率良くレジスタを製造し、製造コストを低減することができる。また、可動フィンのフィン本体を共通部品としつつ、製品のグレードや価格に応じて、意匠パネルや装飾リングを簡便に選択して使用することができる。
【００１２】
ここで、上記レジスタにおいて、上記意匠パネルの前面には、上記装飾リングを嵌め込むための環状溝が設けられ、該環状溝内に上記係止爪を進入させるための嵌合開口部が形成され、且つ該係止爪を係止させる係止部が環状溝内に設けられ、該環状溝の底部に、該装飾リングの上記係止凸部が係止される溝側係止部を設けることが好ましい。これによれば、装飾リングの略Ｌ字状に突出した係止爪が、意匠パネルの環状溝内の係止部を挟み込むように嵌着されるため、嵌着された装飾リングは意匠パネルに対しガタツキなく、確実に固定することができる。
【００１３】
さらに、上記レジスタにおいて、上記意匠パネルの環状溝の底部に設けた係止部の近傍に、該装飾リングの内側面に密着するビード部を設けることが好ましい。これによれば、意匠パネルや装飾リングに、寸法公差内の誤差（製品ごとの寸法のばらつき）があった場合でも、嵌着された装飾リングのガタツキを一層確実に防止することができる。
【００１４】
また、上記レジスタにおいて、上記嵌着部として、上記可動フィンの前面部の外周縁部に突出係止部が突設され、該突出係止部の両側の外周縁部に第１弾性係止爪及び第２弾性係止爪が弾性変形可能に突設され、上記意匠パネルの内側縁部には、該突出係止部が嵌入される係止凹部が設けられ、且つ該内側縁部には、該第１弾性係止爪、第２弾性係止爪が各々係止される第１係止部、第２係止部を設けることができる。
【００１５】
さらに、上記レジスタにおいて、上記意匠パネルの内側面に溶着棒が突設され、上記可動フィンの前面部に該溶着棒が嵌入可能な孔が形成され、該意匠パネルを該可動フィンの前面部に嵌着し、該溶着棒を該孔に挿入した状態で、該溶着棒の先端を溶融して溶着するように構成することができる。
【考案の効果】
【００１６】
本考案のレジスタによれば、意匠パネルを装飾リングとともに可動ルーバーの可動フィンの前面に、簡単に嵌着して取り付けることができ、レジスタ正面の装飾性を長期間良好に保持することができる。
【図面の簡単な説明】
【００１７】
【図１】本考案の一実施形態を示すレジスタの正面図である。
【図２】同レジスタの可動フィンを開放した状態の斜視図である。
【図３】同レジスタの右側面図である。
【図４】同レジスタの分解斜視図である。
【図５】可動フィンの分解斜視図である。
【図６】図１のＡ−Ａ断面図である。
【図７】回動ルーバーを開放した状態のＡ−Ａ断面図である。
【図８】図１のＢ−Ｂ断面図である。
【図９】図１のＣ−Ｃ拡大断面図である。
【図１０】図１のＤ−Ｄ拡大断面図である。
【図１１】可動フィンのフィン本体の正面図（ａ）、その平面図（ｂ）、その左側面図（ｃ）である。
【図１２】意匠パネルの正面図（ａ）、その平面図（ｂ）、その左側面図（ｃ）、その背面図（ｄ）である。
【図１３】意匠パネルの正面斜視図（ａ）、その背面斜視図（ｂ）である。
【図１４】装飾リングの正面図（ａ）、その左側面図（ｂ）、その平面図（ｃ）、その背面図（ｄ）である。
【図１５】装飾リングの拡大正面斜視図（ａ）、その拡大背面斜視図（ｂ）である。
【図１６】意匠パネル、装飾リングを装着した可動フィンの正面図（ａ）、その平面図（ｂ）、その左側面図（ｃ）である。
【図１７】装飾リングを意匠パネルに組み付ける工程を示す説明図である。
【図１８】装飾リングを組み付けた意匠パネルを、可動フィンのフィン本体に組み付ける工程を示す説明図である。
【考案を実施するための形態】
【００１８】
以下、本考案の一実施形態を図面に基づいて説明する。この空気吹出調整用のレジスタは、図１，２に示すように、円形の空気吹出口３２を有した丸型のレジスタであり、円筒形のリテーナ１内に、円筒フレーム３を有する回動ルーバー２が、リテーナ１の内周面を摺接しながら、リテーナ１の中心軸Ｓ（図６）の回りで回動可能に装着され、回動ルーバー２の円筒フレーム３の空気吹出口３２内に、フィン本体４０と第１フィン部４４、第２フィン部４５を有した可動フィン４が、中心軸Ｓと直角方向の支軸４３を軸にして回動可能に枢支されて構成される。
【００１９】
回動ルーバー２の可動フィン４には、その前面に、円形の意匠パネル５が嵌着され、メッキなどを施した装飾リング６が、意匠パネル５の前面中央に嵌着され、意匠パネル５の装飾性を高めている。回動ルーバー２の可動フィン４は、空気吹出方向の調整操作時、可動フィン４をその両側の支軸４３を軸（リテーナ１の中心軸Ｓと直角方向の軸）に傾動させ、且つ回動ルーバー２の円筒フレーム３をリテーナ１に対しその中心軸Ｓの回りで回動させて、吹出方向を調整する。また、図２，６，７に示すように、可動フィン４は、その両側の支軸４３を軸に、約９０度の範囲で限界まで回動させることにより、フィン本体４０の前面部４１の意匠パネル５が空気吹出口３２を覆って閉鎖し、送風を停止させる構造である。
【００２０】
円筒形のリテーナ１の前部は全体が開放され、その後部の後円筒部には、小物の落下防止用に、ハニカム形状の網目部１０（図４）が開口部を覆うように設けられている。リテーナ１の前円筒部は、後円筒部に比して大径に形成され、その内側に回動ルーバー２の円筒フレーム３が回動可能に挿入される。
【００２１】
さらに、図４のように、リテーナ１の前円筒部と後円筒部の境界の段差部に歯形状の操作荷重付与部１１が形成される。この操作荷重付与部１１は、多数の歯形を円周上に連続して配置して形成され、円筒フレーム３に嵌着される弾性脚部材３０をその操作荷重付与部１１に、弾性を持って噛合させ、これにより、回動ルーバー２を操作する際、適度な操作荷重を付与すると共に、良好な節度感を持って回動ルーバー２を回動操作し停止させるようになっている。
【００２２】
図４に示すように、円筒フレーム３内には、可動フィン４が回動可能に軸支され、可動フィン４のフィン本体４０の両側には支軸４３が突設される。円筒フレーム３内には支軸４３を軸支する軸受部３１が設けられ、円筒フレーム３内に挿入された可動フィン４の支軸４３が、軸受部３１に回動可能に嵌め込まれる。
【００２３】
なお、図２、４に示すように、円筒フレーム３内の一部に凹凸部３４が円弧状に形成され、可動フィン４を回動操作して送風量を絞ったとき、この凹凸部３４により風切り音の発生を防止する。この種の風切り音防止用の凹凸は、図１２，１３に示すように、意匠パネル５の上縁部に沿って凹凸部５７が円弧状に設けられ、風切り音の発生を防止するようになっている。
【００２４】
図１〜４に示すように、リテーナ１の前部外周面の３箇所に、約１２０°の間隔をおいて、係止爪１２がベゼル７の係止片１３を係止するために設けられる。図４に示す如く、円環状のベゼル７の外周部背面側には、約１２０°の間隔をおいて、係止片１３が突設される。このような構造のリテーナ１、意匠パネル５、装飾リング６、ベゼル７などは、各々、合成樹脂の一体成形により形成される。
【００２５】
リテーナ１内に回動可能に挿入される回動ルーバー２は、円筒形の支持フレームを構成する上記の円筒フレーム３と、その円筒フレーム３内に、リテーナ１の中心軸Ｓと直角な支軸４３により軸支された可動フィン４と、を備える。可動フィン４は、図５、図１１に示すように、その前面に、略円形板状に形成された前面部４１を設けたフィン本体４０を有し、フィン本体４０の背面側には、支持部４３ａを介して支軸４３が両側に突設され、支軸４３は前面部４１の平面と直角方向に突設される。
【００２６】
上述のように、可動フィン４の支軸４３は、可動フィン４を円筒フレーム３内に挿入したとき、円筒フレーム３内の両側の軸受部３１に嵌入され、所定の角度範囲で回動可能に軸支される。図５、図１１に示す如く、支軸４３の支持部４３ａの先端には、ガイドピン４３ｂが突設される。可動フィン４の回動操作時、このガイドピン４３ｂが、円筒フレーム３内に設けたガイド溝を、所定角度の範囲で移動することにより、可動フィン４の回動操作時の角度範囲が、開放状態から全閉状態まで所定の角度に規制される。
【００２７】
フィン本体４０の前面部４１には、図５に示す如く、装飾リング６を組み付けた意匠パネル５が覆うように嵌着され、意匠パネル５の前面中央には装飾リング６が嵌着される。意匠パネル５の前面中央には環状溝５０が形成され、この環状溝５０内に装飾リング６が嵌着される。一方、フィン本体４０の前面部４１には、３個の前面係止凸部４２が円周上に１２０°の間隔をおいて突設される。この前面係止凸部４２は、装飾リング６及び意匠パネル５の嵌着時、図９に示す如く、意匠パネル５の環状溝５０の嵌合開口部５１に嵌入され、装飾リング６の嵌着状態を保持する。
【００２８】
さらに、フィン本体４０の前面部４１の両側縁部には、意匠パネル５を前面部４１に嵌着するために、図５、図１１に示す如く、第１弾性係止爪４７と第２弾性係止爪４８が突設され、その下側縁部には、突出係止部４６が図５のように下向きに突設される。図１３（ｂ）に示すように、意匠パネル５の両側縁部には、この第１弾性係止爪４７と第２弾性係止爪４８が係止される第１係止部５８と第２係止部５９が設けられ、意匠パネル５の下部には突出係止部４６が係止される係止凹部５６が設けられる。
【００２９】
意匠パネル５の正面中央に嵌着される装飾リング６は、図１４，１５に示すように、円形のリング部６０の内側に、略Ｌ字状の係止爪６１が、その先端部（係止する側の端部）を円周方向に向けて設けられる。略Ｌ字状の係止爪６１は約１２０°の間隔で３個設けられ、各々が、意匠パネル５の環状溝５０内の係止部５２に係止される構造である。
【００３０】
また、リング部６０の内側面には、係止爪６１と係止爪６１の間に、３個の係止凸部６２が突設され、装飾リング６の嵌着時に、図１０に示す如く、意匠パネル５の溝側係止部５３に係止凸部６２が係止され、装飾リング６の移動を阻止して嵌着させる。装飾リング６の表面には、金属めっきなどのめっき処理や塗装などが施されて装飾され、可動フィン４の前面を覆う意匠パネル５の装飾性を向上させる。図５に示すように、可動フィン４のフィン本体４０の両側には、支持部４３ａが、前面部４１から背面側に平板状に突設され、一方、前面部４１の前面両側縁部には、上記のように、第１弾性係止爪４７と第２弾性係止爪４８が、前方に突設される。さらに、前面部４１の中央上寄りに、溶着棒５５を挿入するための孔４９が形成される。
【００３１】
図１１に示すように、フィン本体４０の背面側に、第１フィン部４４及び第２フィン部４５が、前面部４１と略平行に設けられる。第１フィン部４４は連結部４４ａを介して前面部４１の直背面側に形成され、第２フィン部４５は連結部４５ａを介して第１フィン部４４の背面側に、平行に設けられる。可動フィン４は、第１フィン部４４及び第２フィン部４５が前面部４１と平行に配置され、これにより、前面部４１を含め３枚のフィンが間隔をおいて平行に配設され、可動フィン４の傾動、回動操作により、送風方向を調整し、或いは送風を遮断する構造である。
【００３２】
なお、この実施形態の可動フィン４のフィン本体４０には、意匠パネル５が嵌着される前面部４１とともに、第１フィン部４４、第２フィン部４５を含めて３枚のフィンが設けられるが、フィンの数は、前面部を含め２枚或いは４枚とすることもできる。
【００３３】
意匠パネル５は、図５に示すように、可動フィン４のフィン本体４０の前面部４１に、その前面を覆って嵌着されるように、浅い皿状に形成され、図１２，１３に示すように、その正面中央には、円形の環状溝５０が設けられる。環状溝５０は装飾リング６を嵌着可能に形成され、環状溝５０内には、装飾リング６の３個の係止爪６１を進入させるための嵌合開口部５１が、約１２０°の角度間隔をおいて３箇所に形成される。さらに、各嵌合開口部５１の近傍の底部には、係止爪６１を係止させる係止部５２が設けられる。また、図１０に示すように、環状溝５０の底部には溝側係止部５３が設けられ、装飾リング６を環状溝５０内に嵌着したとき、装飾リング６の内側の係止凸部６２が溝側係止部５３に係止されるようになっている。この係止凸部６２及び溝側係止部５３は、約１２０°の角度間隔をおいて３箇所に形成される。
【００３４】
さらに、図９，１０に示すように、環状溝５０の底部における係止部５２の近傍には、ビード部５４が設けられ、装飾リング６を環状溝５０内に嵌着したとき、ビード部５４が装飾リング６の内側面に当接して、ガタツキを防止するようになっている。また、この環状溝５０の底部のビード部５４は、図１０に示すように、溝側係止部５３の近傍にも設けられ、装飾リング６の内側面に当接して、ガタツキを防止する。
【００３５】
さらに、図１２（ｄ）、図１３（ｂ）に示す如く、意匠パネル５の内側の下部には、係止凹部５６が設けられ、意匠パネル５を可動フィン４の前面部４１に嵌着するとき、前面部４１側の突出係止部４６を係止凹部５６に係止させる構造である。また、意匠パネル５の両側内側部に、第１係止部５８、第２係止部５９が設けられ、図１８に示すように、意匠パネル５の下部の係止凹部５６を、前面部４１の突出係止部４６に嵌め込みながら、意匠パネル５を前面部４１に被せたとき、前面部４１の第１弾性係止爪４７及び第２弾性係止爪４８が第１係止部５８及び第２係止部５９に係止される。
【００３６】
なお、上記係止凹部５６と係止凹部５６が係止される突出係止部４６、第１係止部５８及び第２係止部５９が係止される第１弾性係止爪４７と第２弾性係止爪４８は、上述の嵌着部を構成しているが、嵌着部の係止凸部と係止部、係止部と係止爪の関係は、意匠パネル５側と前面部４１側において、上記とは逆に設けることもできる。
【００３７】
上記構成のレジスタをその製造時に組み立てる場合、先ず、図１７に示すように、装飾リング６を意匠パネル５の環状溝５０内に嵌着する。
【００３８】
このとき、図１７に示す如く、装飾リング６の３個の係止爪６１を環状溝５０内の嵌合開口部５１に各々挿入し、その状態で、装飾リング６を円周方向（例えば反時計方向）に回す。これにより、１２０°間隔の３個の係止爪６１が、各々、環状溝５０内の係止部５２に、図９に示す如く嵌入し、係止される。この状態で、図１０に示すように、装飾リング６の係止凸部６２が環状溝５０内の溝側係止部５３と係止され、装飾リング６は環状溝５０内でその係止状態が保持される。
【００３９】
このとき、装飾リング６の略Ｌ字状に突出した３本の係止爪６１が、意匠パネル５の環状溝５０内の各係止部５２を挟み込むように嵌着されるため、嵌着された装飾リング６は意匠パネル５に対しガタツキなく固定される。また、意匠パネル５の環状溝底部の係止部５２の近傍には、装飾リング６の内側面に密着するビード部５４が設けられるので、意匠パネル５や装飾リング６に、寸法公差内の誤差（製品ごとの寸法のばらつき）がある場合でも、嵌着された装飾リング６のガタツキを防止して固定することができる。
【００４０】
次に、装飾リング６を取り付けた意匠パネル５を、可動フィン４のフィン本体４０の前面部４１に対しその前面を覆うように嵌着する。このとき、図１８に示すように、先ず、意匠パネル５の係止凹部５６を、フィン本体４０の前面部４１の突出係止部４６に嵌め込み、その係止凹部５６を支点に、意匠パネル５を回動させ、前面部４１に対しその前面を覆うように、意匠パネル５を前面部４１に被せる。このとき、図１８に示す如く、意匠パネル５の第１係止部５８が前面部４１の第１弾性係止爪４７に嵌合して係止され、意匠パネル５の第２係止部５９が第２弾性係止爪４８に嵌合して係止され、意匠パネル５が前面部４１の前面を覆って嵌着される。
【００４１】
同時に、意匠パネル５の内側中央の溶着棒５５が前面部４１の孔４９に挿通され、さらに、前面部４１の前面係止凸部４２が、意匠パネル５の内側から環状溝５０底部の嵌合開口部５１内に嵌入する。この状態で、前面係止凸部４２は、図９に示す如く、装飾リング６の係止爪６１の直後の嵌合開口部５１内に嵌入し、これにより、係止爪６１は前面係止凸部４２によりロックされた状態となり、装飾リング６は反嵌入方向に戻ることが阻止され、意匠パネル５の環状溝５０内で確実に係止されその位置が保持される。そして、図１８の下段に示す如く、意匠パネル５の内側に孔４９を貫通して突出した溶着棒５５を、加熱してこれを溶融させ、パネルの内側に溶着する。これにより、装飾リング６、意匠パネル５は、フィン本体４０の前面部４１に完全に嵌着されることとなる。
【００４２】
このように、意匠パネル５に対する装飾リング６の組み付け、及びフィン本体４０に対する意匠パネル５の組み付けは、簡単な嵌め込み操作で行なうことができ、嵌着の完了時には係止爪６１が意匠パネル５の係止部５２に係止され、係止爪６１の戻りは前面係止凸部４２によりロックされるため、装飾リング６と意匠パネル５は可動フィン４に対し強固に嵌着され、外れることはない。
【００４３】
さらに、可動フィン４の前面部４１に、意匠パネル５と装飾リング６が嵌着されるので、意匠パネル５及び装飾リング６に、任意の装飾をメッキ処理などで付しておけば、レジスタの正面外観を形成する可動フィン４の前面部４１の装飾性を高め、それを長期間良好に保持することができる。さらに、接着剤を使用せずに、意匠パネル５及び装飾リング６を可動フィン４の前面部４１に嵌着するため、接着剤の含まれる溶剤の影響を解消することができる。加えて、可動フィン４のフィン本体４０を共通部品としつつ、製品のグレードや価格に応じて、意匠パネル５や装飾リング６を簡便に選択して使用し、低コストで各種デザインのレジスタを製造することができる。
【００４４】
次に、上記のように意匠パネル５を組み付けた可動フィン４を、円筒フレーム３内に組み付ける。このとき、可動フィン４の両側の支軸４３の一方を、先ず円筒フレーム３内の一方の軸受部３１に挿入し、その状態で、他方の支軸４３を、円筒フレーム３内の他方の軸受部３１に嵌め込む。これにより、可動フィン４は、所定の角度範囲で回動可能に、円筒フレーム３内に組み付けられる。
【００４５】
次に、可動フィン４を組み付けた円筒フレーム３つまり回動ルーバー２をリテーナ１内に挿入し、その状態でリテーナ１の前部に、ベゼル７を嵌着する。このとき、円筒フレーム３とリテーナ１の操作荷重付与部１１との間に弾性脚部材３０を介在させるように組み付ける。これにより、弾性脚部材３０の二股脚部の先端が、リテーナ１の内周部に設けた操作荷重付与部１１にばね弾性をもって接触した状態となる。
【００４６】
そして、回動ルーバー２を前方から覆うように、ベゼル７をリテーナ１の前部に嵌め込み、その係止片１３をリテーナ１側の係止爪１２に係止させる。これにより、回動ルーバー２はリテーナ１内でその中心軸Ｓの回りで回動可能に装着され、可動フィン４は中心軸Ｓと直角方向の軸の回りで回動可能となり、レジスタの組み立てが完了する。
【００４７】
上記構成のレジスタは、例えば自動車のインストルメントパネルの一部に設けられた空調装置の吹出口に、装着して使用される。レジスタの前面に位置する装飾リング６付きの意匠パネル５は、図１のように、可動フィン４の閉鎖状態において、その前面に現れる。
【００４８】
このため、意匠パネル５や装飾リング６を見栄えの良い合成樹脂により成形し、或いは装飾リング６に装飾やメッキを施すなどして、見栄えを良くした意匠パネル５の意匠面がその前面に現れるため、レジスタの意匠性を向上させ、その商品力を高めることができる。また、意匠パネル５は装飾リング６とともに、可動フィン４の前面部４１に対し係止爪６１などで嵌着されるため、外すことはできず、耐久性を向上させることができる。
【００４９】
また、メッキや塗装などの装飾を変えた複数種の装飾リング６及び意匠パネル５を製造し、レジスタの基本的な構造部分を共通化し、複数種の意匠パネル５、装飾リング６を共通部分のフィン本体などに嵌着して使用すれば、前面の意匠パネル５の異なる複数種のレジスタを、低コストで製造することができる。しかも、前面に現れる意匠パネル５、装飾リング６、ベゼル７以外の部材は、安価な通常の合成樹脂を使用して成形することができるので、製造コストを下げることができる。
【００５０】
レジスタの使用時に、空調装置から送られる風の向きを調整する場合、回動ルーバー２の可動フィン４の上部を指などで押して、空気の吹出し方向と平行な状態まで回動させる。これにより、回動ルーバー２は図２，７のように開放され、さらに、この状態から可動フィン４の向きを、支軸４３を軸に下向き或いは上向きに回動することにより、空気の吹出し方向を上側に或いは下側にと調整することができる。吹出し方向を左右に変える場合、可動フィン４の縁部を指などで把持して、回動ルーバー２の円筒フレーム３を、可動フィン４と共にその円筒フレーム３の中心軸Ｓを軸に、その円周方向に回動させる。これにより、可動フィン４が傾斜状態にあるとき、空気の吹出し方向を左右や斜め方向に変えることができる。
【符号の説明】
【００５１】
１      リテーナ
２      回動ルーバー
３      円筒フレーム
４      可動フィン
５      意匠パネル
６      装飾リング
７      ベゼル
１０    網目部
１１    操作荷重付与部
１２    係止爪
１３    係止片
３０    弾性脚部材
３１    軸受部
３２    空気吹出口
３４    凹凸部
４０    フィン本体
４１    前面部
４２    前面係止凸部
４３    支軸
４３ａ  支持部
４３ｂ  ガイドピン
４４    第１フィン部
４４ａ  連結部
４５    第２フィン部
４５ａ  連結部
４６    突出係止部
４７    第１弾性係止爪
４８    第２弾性係止爪
４９    孔
５０    環状溝
５１    嵌合開口部
５２    係止部
５３    溝側係止部
５４    ビード部
５５    溶着棒
５６    係止凹部
５７    凹凸部
５８    第１係止部
５９    第２係止部
６０    リング部
６１    係止爪
６２    係止凸部
【図１】
0003195407.tif 000003
【図２】
0003195407.tif 000004
【図３】
0003195407.tif 000005
【図４】
0003195407.tif 000006
【図５】
0003195407.tif 000007
【図６】
0003195407.tif 000008
【図７】
0003195407.tif 000009
【図８】
0003195407.tif 000010
【図９】
0003195407.tif 000011
【図１０】
0003195407.tif 000012
【図１１】
0003195407.tif 000013
【図１２】
0003195407.tif 000014
【図１３】
0003195407.tif 000015
【図１４】
0003195407.tif 000016
【図１５】
0003195407.tif 000017
【図１６】
0003195407.tif 000018
【図１７】
0003195407.tif 000019
【図１８】
0003195407.tif 000020